(57)【要約】【課題】排水用部材の種類数の増加を抑制する。【解決手段】便器支持具１は、便器７に取付可能な排水用部材２と、支持台３とを具備している。排水用部材２は、床９に直接設置される第１設置状態と、床９に支持台３を介して設置される第２設置状態とのうちいずれの設置状態でも設置可能である。排水用部材２は、便器７の排水出口部８３に通じる流入口部２６と、流入口部２６に通じかつ前記第１設置状態において床９に設けられた排水口部９１に接続可能な嵌込筒部２５とを備えている。支持台３は、便器７が載せられる台部４と、第２設置状態の排水用部材２が載せられる支持部５とを備えている。支持部５は、第２設置状態の排水用部材２の嵌込筒部２５が嵌め込まれる嵌込部５６と、嵌込部に嵌め込まれた嵌込筒部２５に通じかつ排水口部９１に接続可能な接続筒部５２とを有している。【選択図】図２
2017218823.tif 000002
【特許請求の範囲】
【請求項１】
便器に取付可能な排水用部材と、
床の上に設置可能な支持台とを具備し、
前記排水用部材は、前記床に直接設置される第１設置状態と、前記床に前記支持台を介して設置される第２設置状態とのうちいずれの設置状態でも設置可能であり、
前記排水用部材は、
前記排水用部材が前記便器に取り付けられたときに前記便器の排水出口部に通じる流入口部と、
前記排水用部材の下面から下方に突出した筒状に形成され、前記流入口部に通じ、かつ前記排水用部材を前記第１設置状態で設置したときに前記床に設けられた排水口部に接続可能な嵌込筒部とを備え、
前記支持台は、
前記便器が載せられる台部と、
前記台部に繋がり、前記第２設置状態の前記排水用部材が載せられる支持部とを備え、
前記支持部は、
前記支持部に載せられた前記第２設置状態の前記排水用部材の前記嵌込筒部が嵌め込まれる嵌込部と、
前記支持部の下面から下方に突出した筒状に形成され、前記嵌込部に嵌め込まれた前記嵌込筒部に通じ、かつ前記排水口部に接続可能な接続筒部とを有していることを特徴とする便器支持具。
【請求項２】
前記台部と前記支持部とが一体に形成されたことを特徴とする請求項１に記載の便器支持具。
【請求項３】
前記排水用部材は、
前記床に固着可能な被固着部を備え、
前記支持部は、
前記支持部により前記排水用部材が支持された状態において、前記被固着部を固着可能な固着部を備えたことを特徴とする請求項１又は請求項２に記載の便器支持具。
【請求項４】
便器と、
請求項１〜３のいずれか１項に記載の便器支持具とを具備し、
床の上に前記支持台が設置されており、
前記接続筒部が前記床に設けられた排水口部に接続されており、
前記排水用部材が前記支持部に載せられており、
前記嵌込筒部が前記嵌込部に嵌め込まれており、
前記排水用部材が前記便器に取り付けられており、
前記便器が前記台部に載せられていることを特徴とする便器の設置構造。
【発明の詳細な説明】
【技術分野】
【０００１】
本発明は便器支持具及び便器の設置構造に関する。
【背景技術】
【０００２】
特許文献１にはトイレ用便器が開示されている。このトイレ用便器は、便器本体の底面と床面との間に介装可能なスペーサを備えている。このトイレ用便器は、幼児が使用する場合に便器本体を床面に直接固定して着座位置を低くすることができる。また、このトイレ用便器は、一般者が利用する場合には、便器本体の底面と床面との間にスペーサを介装して着座位置を高くすることができる。
【先行技術文献】
【特許文献】
【０００３】
【特許文献１】特開２０００−３０３５４０号公報
【発明の概要】
【発明が解決しようとする課題】
【０００４】
前述のように便器本体を床面にスペーサを介して設置する場合、便器本体に設けられた排水出口部の高さは、便器本体を床面に直接設置する場合よりも高くなる。このため、便器本体に排水用部材を取り付け、この排水用部材にて便器本体の排水出口部と床面に設けられた排水口部とを通じさせるには、便器本体を直接床面に設置する場合とは異なる排水用部材が必要となる場合がある。この場合、排水用部材の種類が増加し、在庫管理が煩雑になりやすい。
【０００５】
本発明は前記事情に鑑みてなされたものであって、排水用部材の種類数の増加を抑制できる便器支持具及び便器の設置構造を提供することを目的とする。
【課題を解決するための手段】
【０００６】
前記目的を達成するために本発明に係る一態様の便器支持具は、便器に取付可能な排水用部材と、床の上に設置可能な支持台とを具備している。前記排水用部材は、前記床に直接設置される第１設置状態と、前記床に前記支持台を介して設置される第２設置状態とのうちいずれの設置状態でも設置可能である。前記排水用部材は、流入口部と、嵌込筒部とを備えている。前記流入口部は、前記排水用部材が前記便器に取り付けられたときに前記便器の排水出口部に通じる。前記嵌込筒部は、前記排水用部材の下面から下方に突出した筒状に形成され、前記流入口部に通じ、かつ前記排水用部材を前記第１設置状態で設置したときに前記床に設けられた排水口部に接続可能である。前記支持台は、前記便器が載せられる台部と、前記台部に繋がり、前記第２設置状態の前記排水用部材が載せられる支持部とを備えている。前記支持部は、嵌込部と、接続筒部とを有している。前記嵌込部には、前記支持部に載せられた前記第２設置状態の前記排水用部材の前記嵌込筒部を嵌込可能である。前記接続筒部は、前記支持部の下面から下方に突出した筒状に形成され、前記嵌込部に嵌め込まれた前記嵌込筒部に通じ、かつ前記排水口部に接続可能である。
【０００７】
また、本発明に係る一態様の便器の設置構造は、便器と、前記便器支持具とを具備している。床の上に前記支持台が設置されている。前記接続筒部が前記床に設けられた排水口部に接続されている。前記排水用部材が前記支持部に載せられている。前記嵌込筒部が前記嵌込部に嵌め込まれている。前記排水用部材が前記便器に取り付けられている。前記便器が前記台部に載せられている。
【発明の効果】
【０００８】
本発明に係る便器支持具及び便器の設置構造は、排水用部材の種類数の増加を抑制できる。
【図面の簡単な説明】
【０００９】
【図１】図１は本発明に係る一実施形態の便器支持具を床に設置した状態を示した斜視図である。
【図２】図２は同上の便器支持具を用いて便器を床に設置した状態を示した縦断面図である。
【図３】図３は同上の便器の斜視図である。
【図４】図４は同上の便器支持具の平面図である。
【図５】図５は同上の便器を床に直接設置した状態を示した縦断面図である。
【図６】図６は同上の便器支持具の支持台の斜視図である。
【図７】図７Ａは同上の支持台の平面図である。図７Ｂは図７ＡのＢ−Ｂ線断面図である。
【図８】図８は同上の支持台の後部の斜視図である。
【図９】図９は図２のＡ部拡大図である。
【発明を実施するための形態】
【００１０】
以下に示す実施形態は、便器支持具及び便器の設置構造に関し、詳しくは、便器の着座面を高くするための便器支持具と、便器支持具を介して床に設置される便器の設置構造に関する。
【００１１】
図１に本実施形態の便器支持具１を示す。便器支持具１は、図２に示す便器７の着座面を高くする機能に加えて、当該便器７の排水出口部８３と、床９に設けられた排水口部９１とを連通させる機能を有している。
【００１２】
図２は便器支持具１を介して便器７を床９に設置した状態を示している。なお、以下では便器７及び便器支持具１について、便器７の設置状態における方向を基準にして説明する。具体的には、便器７に着座した利用者が向く方向を前方とし、この利用者から見たときを基準にして左右方向を定義する。なお、図２では後述する便座７２及び便蓋７３の図示を省略している。
【００１３】
（便器）
本実施形態の便器７は、骨組みとなるフレーム７０と、腰掛大便器状の便器本体７５とを具備している。フレーム７０は金属製である。フレーム７０は便器本体７５の内側に配置され、便器本体７５によって覆われる。
【００１４】
便器本体７５は合成樹脂製である。便器本体７５はフレーム７０に取り付けられる。便器本体７５の前部には、上方に向かって開口した椀状のボウル部８１が形成されている。ボウル部８１は便器本体７５において汚物を受ける部分である。
【００１５】
便器７はボウル部８１に水を供給する給水装置７１をさらに具備している。給水装置７１は便器本体７５に内蔵されている。
【００１６】
図３に示すように、便器７は、便座７２と便蓋７３とをさらに具備している。便座７２及び便蓋７３は、便器本体７５に対して回動可能に取り付けられている。便座７２は便器７の利用時において便器本体７５の上面に載せられる。この便座７２の上面が、便器７の利用時において利用者が着座する着座面となる。
【００１７】
図２に示すように、ボウル部８１の下端部には、後方に向かって突出した排水筒部８２が形成されている。
【００１８】
便器７は排水トラップ７４をさらに具備している。排水トラップ７４は可動式のトラップ装置であり、トラップケース７６と、トラップケース７６に収納されるトラップ管７７とを備えている。
【００１９】
トラップケース７６は便器本体７５の後部に内蔵され、ボウル部８１の後方に配置される。トラップケース７６の前壁部には、前後方向に貫通した前開口部７９が形成されている。トラップケース７６の底部には、上下方向に貫通した下開口部８０が形成されている。
【００２０】
トラップ管７７は、蛇腹状で可撓性を有する管である。トラップ管７７の一端部は、トラップケース７６の前開口部７９から前方に突出し、ボウル部８１の排水筒部８２に連結される。トラップ管７７において前開口部７９に対応する部分は、トラップケース７６に取り付けられる。トラップ管７７の下流側端部（排水筒部８２とは反対側の端部）の開口部は、ボウル部８１の水を排出するための排水出口部８３を構成する。
【００２１】
排水トラップ７４は、トラップ管７７を駆動する図示しない駆動装置をさらに備えている。駆動装置はモーターを備えており、モーターの駆動に伴いトラップ管７７の下流側端部を上下に回転する。
【００２２】
便器７の非使用時において、トラップ管７７は図２に実線で示すように排水出口部８３が上向きに開口した状態とされる。これにより、ボウル部８１内は、ボウル部８１の水が排水筒部８２から排出されず、ボウル部８１に留まる溜水状態となる。
【００２３】
便器７は図示しない操作部をさらに具備している。操作部は、例えば便器本体７５に設けられた操作器で構成される。
【００２４】
利用者により操作部が操作されると、ボウル部８１には給水装置７１から水が供給される。この際、トラップ管７７は、駆動装置によって図２に二点鎖線で示すように排水出口部８３が下向きに開口する位置まで駆動される。これにより、ボウル部８１内は、ボウル部８１内の水が、排水筒部８２及びトラップ管７７を介して排水口部９１から排出される排水状態となる。
【００２５】
上述した排水状態が所定時間維持された後、トラップ管７７は駆動装置によって駆動されて図２に実線で示した状態に復帰する。この後、所定時間経過した時点で上述した給水装置７１によるボウル部８１への水の供給が停止される。
【００２６】
便器本体７５に内蔵されるフレーム７０の下端部には、便器本体７５の下端部の内側に配置される被設置部８４が形成されている。被設置部８４には便器本体７５の下端部が、固定される。
【００２７】
（便器支持具）
図１及び図４に示すように、便器支持具１は、排水用部材２と、支持台３とを具備している。
【００２８】
図２及び図５に示すように、排水用部材２は便器７に取付可能である。支持台３は、図２に示すように床９の上に直接設置可能である。
【００２９】
（排水用部材）
排水用部材２は、いわゆる床フランジであって、図５に示すように支持台３を用いずに便器７が直接床９に設置される場合にも利用可能である。この場合、排水用部材２は直接床９に設置される。また、図２に示すように便器７が支持台３を介して床９に設置される場合、排水用部材２は支持台３を介して床９に設置される。
【００３０】
以下、図５に示すように、排水用部材２が直接床９に設置される状態を第１設置状態という。また、図２に示すように、排水用部材２が支持台３を介して床９に設置される状態を第２設置状態という。すなわち、排水用部材２は、第１設置状態と第２設置状態とのうちいずれの設置状態でも設置可能である。
【００３１】
図１に示すように、排水用部材２は、上下方向に延びた管部２０と、管部２０の下部から外方に向かって突出したフランジ状の被固着部２１と、管部２０の上端部から外方に向かって突出したフランジ状の載置部２２とを備えている。
【００３２】
管部２０の下部に設けられた被固着部２１は、管部２０の周方向に亘って形成されている。被固着部２１の下面は、水平であり、排水用部材２の下面を構成する。
【００３３】
被固着部２１には、図４に示す複数の固着具用孔２４が形成されている。これら複数の固着具用孔２４の各々は、被固着部２１を上下方向に貫通している。
【００３４】
図５に示すように管部２０の下端部は、被固着部２１よりも下方に突出している。管部２０において、被固着部２１の下面よりも下方に突出した部分（すなわち、管部２０の下端部）は、嵌込筒部２５を構成する。嵌込筒部２５は円筒状に形成されている。嵌込筒部２５は、図５に示すように排水用部材２を第１設置状態で設置したときに、床９に設けられた排水口部９１に接続可能である。
【００３５】
管部２０の上方に開口した上端開口部は、排水用部材２が便器７に取り付けられたときに排水出口部８３から排出された水が流入する流入口部２６を構成する。管部２０の内部には、管部２０の内周面によって構成され、流入口部２６と嵌込筒部２５とを通じさせる排水流路２７が形成されている。
【００３６】
図１に示すように、管部２０の上端部に設けられた載置部２２は、管部２０の周方向に亘って形成されている。載置部２２には、図示しない複数のねじを通すための複数のねじ挿通孔２８が形成されている。これら複数のねじ挿通孔２８の各々は、載置部２２を上下方向に貫通している。
【００３７】
（支持台）
図６、図７Ａ、及び図７Ｂに支持台３を示す。支持台３は合成樹脂製であり、詳しくはポリプロピレン製である。支持台３は、便器７が載せられる台部４と、排水用部材２（図２参照）を第２設置状態で設置する場合に排水用部材２が載せられる支持部５とを備えている。
【００３８】
台部４は平面視形状が前後方向に延びた環状であり、支持台３の外周部を構成している。なお、便器７のフレーム７０の被設置部８４（図２参照）は、平面視形状が台部４と同様の環状である。
【００３９】
平面視において、環状の台部４の内側領域の後部には、支持部５が配置されている。支持部５は台部４と一体に形成されており、台部４に繋がっている。
【００４０】
図８に示すように、支持部５は、底板部５０と、底板部５０から上方に突出した平面視格子状のリブ５１とを有している。底板部５０の左右両端部及び格子状のリブ５１の左右両端部は、台部４に繋がっている。
【００４１】
支持部５は、底板部５０の下面から下方に突出した円筒状の接続筒部５２を有している。支持部５の上面は、格子状のリブ５１の水平な上端面で構成されている。格子状のリブ５１の上端面は、台部４の上面と面一である。
【００４２】
支持部５は、第２設置状態における排水用部材２（図２参照）が固着される固着部を有している。本実施形態の固着部は、格子状のリブ５１に形成された複数のボス５３で構成されている。これら複数のボス５３の各々は、軸方向が上下方向と平行な円筒状に形成されている。
【００４３】
支持部５は、第２設置状態における排水用部材２の嵌込筒部２５（図２参照）が挿入される挿入部をさらに有している。本実施形態の挿入部は、支持部５の上方に開口した凹部５４である。凹部５４の周壁部は、格子状のリブ５１の一部で構成されている。凹部５４の底部は、底板部５０の一部で構成されている。
【００４４】
凹部５４の底部には、上下方向に貫通した孔５５が形成されている。前述した接続筒部５２は孔５５の周縁から下方に向かって突出している。接続筒部５２は凹部５４の底部の上面から上方に向かって開口しており、凹部５４の内部は、接続筒部５２の内部に通じている。
【００４５】
接続筒部５２の上端部は、接続筒部５２において当該上端部よりも下方の部分よりも内径が大きい。これにより接続筒部５２には、接続筒部５２の上端部内周面で構成され上方に開口した嵌込部５６が形成されている。
【００４６】
（施工）
支持台３を用いずに便器７を床９に直接設置した状態を図５に示す。図５において便器７が設置される床９には、排水管９０が埋め込まれた状態で設けられている。排水管９０の上端面は、床面と面一であり、床面よりも上方に突出していない。本実施形態では、この排水管９０の上端部により、床面から上方に開口した排水口部９１が構成されている。
【００４７】
図５に示すように支持台３を用いずに便器７を床９に直接設置する場合、作業者は排水用部材２を用いて例えば以下の施工を行う。
【００４８】
まず、作業者は、排水用部材２を被固着部２１の下面が、床９に直接接するように床９に設置する。この際、作業者は、嵌込筒部２５を排水口部９１に挿入する。これにより嵌込筒部２５は排水管９０に接続されて固定される。次いで作業者は、被固着部２１の複数の固着具用孔２４（図４参照）に複数のねじ（図示せず）をそれぞれ挿通し、これら複数のねじを床９にねじ込んで被固着部２１を床９に固着する。
【００４９】
次に作業者は、便器７の被設置部８４を床９に直接設置し、排水用部材２の載置部２２にトラップケース７６を載せる。そして、作業者は、載置部２２の複数のねじ挿通孔２８（図１参照）に複数のねじ（図示せず）をそれぞれ挿通し、これら複数のねじを用いてトラップケース７６の底部と載置部２２とを連結する。また、複数のねじ（図示せず）を用いて便器７の被設置部８４を床９に固着する。
【００５０】
このように支持台３を用いずに直接床９に設置された便器７は、トラップケース７６の下開口部８０が排水用部材２の流入口部２６に通じる。このため、便器７の排水出口部８３から排出された水は、排水用部材２の排水流路２７を通じて排水口部９１に排出される。
【００５１】
支持台３及び排水用部材２を用いて便器７を設置した状態を図２に示す。図２において便器７が設置される床９には、図５に示す場合と同様に、排水管９０が設けられている。支持台３及び排水用部材２を用いた便器７の施工は、例えば以下のように行われる。
【００５２】
まず、作業者は、支持台３を台部４の下面及び底板部５０の下面を直接床９に接した状態にして床９に設置する。この際、作業者は、接続筒部５２を、床９に設けられた排水口部９１に挿入する。これにより接続筒部５２は排水管９０に接続されて固定される。
【００５３】
次いで作業者は、複数のねじ４０を台部４の複数のねじ用孔４１に挿通して床９にねじ込む。これにより、台部４は、床９に固着される。
【００５４】
次に作業者は、支持台３の支持部５に排水用部材２の被固着部２１を載せて、排水用部材２を支持部５上に設置する。この際、作業者は、嵌込筒部２５を図９に示すように凹部５４に挿入し、嵌込筒部２５の下端部を、接続筒部５２の嵌込部５６に嵌め込んで固定する。これにより、嵌込筒部２５と接続筒部５２とが接続される。
【００５５】
次に作業者は、固着具として複数のねじ２３（図１参照）を排水用部材２の複数の固着具用孔２４（図４参照）にそれぞれ通し、これら複数のねじ２３を支持台３の複数のボス５３（図８参照）にそれぞれねじ込む。これにより、図２に示す排水用部材２の被固着部２１は、支持台３の支持部５に固着される。
【００５６】
次に作業者は、便器７の被設置部８４を支持台３の台部４に載せ、便器７のトラップケース７６を排水用部材２の載置部２２に載せる。そして、作業者は、載置部２２の複数のねじ挿通孔２８（図１参照）に複数のねじを通し、これら複数のねじでトラップケース７６と載置部２２とを連結する。また、便器７の被設置部８４を、ねじなどを用いて支持台３の台部４に固着する。
【００５７】
このように便器支持具１を用いて便器７が施工されると、支持台３を用いずに施工される場合と比較して、便器７の着座面が高くなる。また、このように施工された便器７の排水出口部８３は、排水用部材２の管部２０と、支持台３の接続筒部５２とを介して、床９に設けられた排水口部９１に通じる。このため、便器７の排水は、管部２０と接続筒部５２とを順に通って排水口部９１に導かれる。
【００５８】
（補足）
なお、便器本体７５の材料は、合成樹脂に限られず、便器本体７５は例えば陶器製であってもよい。
【００５９】
また、便器７のフレーム７０は省略可能である。また、便器７の排水トラップ７４は、可動式のトラップ装置に限られず、例えば便器本体７５と一体に形成される固定式のトラップであってもよい。この場合、トラップの出口部が便器７の排水出口部となる。
【００６０】
また、支持台３はポリプロピレン以外の合成樹脂材料から形成されてもよい。また、支持台３の一部又は全部は、金属などの合成樹脂以外の材料から形成されてもよい。
【００６１】
また、支持部５は台部４と一体に形成されず、台部４とは別体であってもよい。この場合、支持部５は、台部４に取り付けられる。また、嵌込部５６は接続筒部５２の一部で構成されているが、嵌込部５６は接続筒部５２とは別に設けられてもよい。
【００６２】
この他、本実施形態の便器支持具１及び便器７の設置構造は、適宜設計変更可能である。
【００６３】
（効果）
以上説明した実施形態に係る第１の態様の便器支持具１は、以下の構成を有する。便器支持具１は、便器７に取付可能な排水用部材２と、床９の上に設置可能な支持台３とを具備している。排水用部材２は、床９に直接設置される第１設置状態と、床９に支持台３を介して設置される第２設置状態とのうちいずれの設置状態でも設置可能である。排水用部材２は、流入口部２６と、嵌込筒部２５とを備えている。流入口部２６は、排水用部材２が便器７に取り付けられたときに便器７の排水出口部８３に通じる。嵌込筒部２５は、排水用部材２の下面から下方に突出した筒状に形成され、流入口部２６に通じ、かつ前記第１設置状態において床９に設けられた排水口部９１に接続可能である。支持台３は、便器７が載せられる台部４と、台部４に繋がり、前記第２設置状態の排水用部材２が載せられる支持部５とを備えている。支持部５は、嵌込部５６と、接続筒部５２とを有している。嵌込部５６には、支持部５に載せられた前記第２設置状態の排水用部材２の嵌込筒部２５を嵌込可能である。接続筒部５２は、支持部５の下面から下方に突出した筒状に形成され、嵌込部５６に嵌め込まれた嵌込筒部２５に通じ、かつ排水口部９１に接続可能である。
【００６４】
この第１の態様の便器支持具１は、床９の上に支持台３を設置し、この支持台３の台部４に便器７を載せることで、便器７を着座面を高くした状態で設置できる。
【００６５】
また、排水用部材２は、支持台３を用いずに便器７を床９に直接設置する場合、及び支持台３を用いて便器７を床９に設置する場合のいずれの場合にも利用できる。
【００６６】
すなわち、支持台３を用いずに便器７を床９に直接設置する場合、排水用部材２は床９に直接設置され、嵌込筒部２５は床９に設けられた排水口部９１に接続され、かつ排水用部材２が便器７に取り付けられる。これにより、便器７の排水出口部８３は、流入口部２６と嵌込筒部２５とを順に介して排水口部９１に通じる。
【００６７】
また、支持台３を用いて便器７を床９に設置する場合、支持台３の接続筒部５２が床９に設けられた排水口部９１に接続され、支持台３の嵌込部５６に排水用部材２の嵌込筒部２５が嵌め込まれる。これにより、便器７の排水出口部８３は、流入口部２６、嵌込筒部２５、及び接続筒部５２を順に介して排水口部９１に通じる。
【００６８】
つまり、第１の態様の便器支持具１は、便器７を、支持台３を用いて設置する場合及び支持台３を用いずに設置する場合のいずれの場合にも、共通の排水用部材２を用いることができ、排水用部材２の種類数の増加を抑制できる。
【００６９】
また、前記実施形態に係る第２の態様の便器支持具１は、第１の態様の便器支持具１において以下に示す付加的な構成を有する。台部４と支持部５とが一体に形成されている。
【００７０】
この第２の態様の便器支持具１は、台部４と支持部５とが一体に形成されているため、台部４と支持部５とを接続する作業が不要になり、製造時や組立時の作業の手間が軽減される。
【００７１】
また、前記実施形態に係る第３の態様の便器支持具１は、第１の態様の便器支持具１又は第２の態様の便器支持具１において、以下に示す付加的な構成を有する。排水用部材２は、床９に固着可能な被固着部２１を備えている。支持部５は、支持部５により排水用部材２が支持された状態において、被固着部２１を固着可能な固着部（複数のボス５３）を備えている。
【００７２】
この第３の態様の便器支持具１は、排水用部材２の被固着部２１を、床９と支持台３とのいずれにも固着できる。このため、排水用部材２の形状が複雑になり難い。
【００７３】
また、前記実施形態に係る第４の態様の便器７の設置構造は、以下に示す構成を有する。便器７の設置構造は、便器７と、第１〜第３のいずれか１つの態様の便器支持具１とを具備している。床９の上に支持台３が設置されている。接続筒部５２が床９に設けられた排水口部９１に接続されている。排水用部材２が支持部５に載せられている。嵌込筒部２５が嵌込部５６に嵌め込まれている。排水用部材２が便器７に取り付けられている。便器７が台部４に載せられている。
【００７４】
この第４の構成を有する便器７の設置構造は、便器７を着座面を高くした状態で設置できる。また、便器７を支持台３を用いずに設置する場合にも利用できる排水用部材２を用いて、便器７から排出された水を床９に設けられた排水口部９１に導くことができる。
【符号の説明】
【００７５】
１  便器支持具
２  排水用部材
２１  被固着部
２５  嵌込筒部
２６  流入口部
３  支持台
４  台部
５  支持部
５２  接続筒部
５３  ボス（固着部）
５６  嵌込部
７  便器
８３  排水出口部
９  床
９１  排水口部
【図１】
2017218823.tif 000003
【図２】
2017218823.tif 000004
【図３】
2017218823.tif 000005
【図４】
2017218823.tif 000006
【図５】
2017218823.tif 000007
【図６】
2017218823.tif 000008
【図７】
2017218823.tif 000009
【図８】
2017218823.tif 000010
【図９】
2017218823.tif 000011